(57)【要約】【課題】  様々な除菌漂白対象物に対応し、安全かつ確実に対象物の除菌漂白作業を行うことができる除菌漂白用器具を提供すること。【解決手段】  本発明に係る除菌漂白用器具は、矩形体であり、二つの面にまたがるように形成される開口部を備えた本体と、前記本体の前記開口部を覆い、且つ、前記本体に回動自在に配置された蓋と、前記本体内部の水量を判断するための水量計と、前記本体内部の水を排水するための排水機構と、除菌漂白対象物を除菌漂白溶液中に留める浮上防止具及び浮上防止補助具と、前記除菌漂白対象物同士を固定する固定具と、前記除菌漂白対象物を除菌漂白溶液中から引き上げる引上具と、を備えたことを特徴とする。【選択図】  図１
2019208578.tif 000002
【特許請求の範囲】
【請求項１】
矩形体であり、二つの面にまたがるように形成される開口部を備えた本体と、
前記本体の前記開口部を覆い、且つ、前記本体に回動自在に配置された蓋と、
を、備えたことを特徴とする除菌漂白用器具。
【請求項２】
前記本体内部の水量を判断するための水量計と、
前記本体内部の水を排水するための排水機構と、
を、備えたことを特徴とする請求項１に記載の除菌漂白用器具。
【請求項３】
除菌漂白対象物を除菌漂白溶液中に留める浮上防止具及び浮上防止補助具を、備えたことを特徴とする請求項１又は２に記載の除菌漂白用器具。
【請求項４】
前記除菌漂白対象物同士を固定する固定具と、
前記除菌漂白対象物を除菌漂白溶液中から引き上げる引上具と、
を、備えたことを特徴とする請求項１〜３に記載の除菌漂白用器具。
【請求項５】
前記開口部は、前記本体の正面及び平面にまたがるように形成される開口部であって、正面において前記本体上下方向の辺の２分の１よりも平面側の部分が開口し、且つ、平面において前記本体奥行方向の辺の３分の１よりも正面側の部分が開口することを、特徴とする請求項１〜４に記載の除菌漂白用器具。
【発明の詳細な説明】
【技術分野】
【０００１】
本発明は、まな板等を容易且つ経済的に除菌漂白するための器具に関するものである。
【背景技術】
【０００２】
従来、まな板を除菌漂白するための器具として、特許文献１に記載のまな板除菌漂白箱が知られている。このまな板除菌漂白箱は、内部に除菌漂白剤溶液とまな板を入れて密封することが可能であり、箱本体及び蓋は除菌漂白剤溶液に耐え得る構成である。
【先行技術文献】
【特許文献】
【０００３】
【特許文献１】特開平１０−２４８７３３
【発明の概要】
【発明が解決しようとする課題】
【０００４】
しかしながら、上記従来のまな板除菌漂白箱では、除菌漂白剤溶液節約のためには、まな板除菌漂白箱の厚みとまな板の厚みの差を少なくする必要があった。従って、様々なサイズのまな板への対応が困難であり、また、サイズの合わないまな板除菌漂白箱を用いた場合には、多量の除菌漂白剤溶液が必要になるという問題点があった。本発明は、係る問題点に鑑みてなされたものである。
【課題を解決するための手段】
【０００５】
上記問題点を解決するために、本発明に係る除菌漂白用器具は、矩形体であり、二つの面にまたがるように形成される開口部を備えた本体と、前記本体の前記開口部を覆い、且つ、前記本体に回動自在に配置された蓋と、を備えたことを特徴とする。
【０００６】
また、前記発明において、本発明に係る除菌漂白用器具は、前記本体内部の水量を判断するための水量計と、前記本体内部の水を排水するための排水機構と、を備えたことを特徴とする。
【０００７】
また、前記発明において、本発明に係る除菌漂白用器具は、除菌漂白対象物を除菌漂白溶液中に留める浮上防止具及び浮上防止補助具を、備えたことを特徴とする。
【０００８】
また、前記発明において、本発明に係る除菌漂白用器具は、前記除菌漂白対象物同士を固定する固定具と、前記除菌漂白対象物を除菌漂白溶液中から引き上げる引上具と、を備えたことを特徴とする。
【０００９】
また、前記発明において、本発明に係る除菌漂白用器具は、前記開口部は、前記本体の正面及び平面にまたがるように形成される開口部であって、正面において前記本体上下方向の辺の２分の１よりも平面側の部分が開口し、且つ、平面において前記本体奥行方向の辺の３分の１よりも正面側の部分が開口することを特徴とする。
【図面の簡単な説明】
【００１０】
【図１】本発明に係る除菌漂白用器具１００の構成図である。
【図２】除菌漂白用器具１００の本体１の構成図である。
【図３】除菌漂白用器具１００の本体１の内部構成図である。
【図４】除菌漂白用器具１００に係る水量計の構成図である。
【図５】除菌漂白用器具１００の蓋の構成図である。
【図６】除菌漂白用器具１００に係る固定具の構成図である。
【図７】除菌漂白用器具１００に係る浮上防止具の構成図である。
【図８】除菌漂白用器具１００に係る浮上防止補助具の構成図である。
【図９】除菌漂白用器具１００に係る引上具の構成図である。
【図１０】本発明の使用方法を示す図である。
【発明を実施するための形態】
【００１１】
図１は、本発明に係る除菌漂白用器具１００の構成図である。除菌漂白用器具１００は、内部に空間が形成された本体１と、当該本体１の上部近傍に回動自在に配置される蓋２と、から構成される。除菌漂白用器具１００は、内部にまな板、弁当箱、タッパーウェア、哺乳瓶等が収納可能であり、また、まな板等と除菌漂白溶液を入れた状態で密閉することが可能である。
【００１２】
図２は、除菌漂白用器具１００の本体１の構成図であり、（ａ）はその正面図、（ｂ）はその右側面図、（ｃ）はその左側面図、（ｄ）はその平面図、（ｅ）はその背面図である。図３は、除菌漂白用器具１００の本体１の内部構成図である。本体１は、全体が矩形体であり、内部にはまな板、弁当箱、タッパーウェア、哺乳瓶等が収納可能な空間が形成される。また、図２（ａ）（ｄ）に示すように、正面の一部及び平面の一部の開口により、二つの面にまたがるように開口部Ａが形成される。詳細には、本体１の上下方向の辺の２分の１よりも平面側の一部分が開口し、また、奥行方向の辺の３分の１よりも正面側の一部分が開口する。例えば、本体１の上下方向の辺の長さが２８０ｍｍである場合、正面開口部の上下方向の長さは９０ｍｍであり、また、本体１の奥行方向の辺の長さが７５ｍｍである場合、平面開口部の奥行方向の長さは１０ｍｍである。なお、当該開口部Ａの横方向の長さは、本体１の横方向の長さと同等でもよく、また、それより短くてもよい。本体１に開口部Ａを形成することにより、除菌漂白用器具１００を立たせた状態、又は、寝かせた状態での使用が可能となる。
【００１３】
本体 １の側面上部には、後述する蓋２の軸２ａに対応する軸受け１ａが設けられる。本体１の素材としては、合成樹脂、木材、金属等が採用できる。特にアクリルを素材とした場合、十分な強度を確保でき、重量を軽く構成できるためよい。また、木材を素材とする場合には、表面に撥水加工等を施す。
【００１４】
図２（ａ）（ｂ）（ｃ）に示すように、本体１の側面両側には取っ手１０が配置される。取っ手１０の形状は、矩形、楕円形、波形等が採用できる。取っ手１０の素材としては、合成樹脂、木材、金属等が採用でき、特にシリコンゴムを素材とした場合、除菌漂白用器具１００を使用するに際し、滑りにくくなり安全に作業を行うことができる。
【００１５】
図２（ａ）（ｃ）に示すように、本体１の側面片側の下部近傍には排水機構１１が配置される。排水機構１１には、蛇口のように止水及び流水の切替機構を備えたもののほか、単純に本体１の側面下部に設けた穴を塞ぎ得る栓状のものも採用できる。当該栓状のものを採用する場合には、当該排水機構１１の配置場所は本体１の側面下部だけでなく、本体１の底面に配置されることとしてもよい（図示省略）。除菌漂白用器具１００の使用時、器具全体としては相当の重量となるため、排水機構１１を備えることにより除菌漂白溶液の排水作業を安全に行うことができる。また、本体１内部にまな板等を入れた状態で、注水及び排水を繰り返すことにより、容易にすすぎ作業を行うことができる。
【００１６】
図２に示すように、本体１の底面及び背面には脚部１２が配置される。使用方法については後述するが、除菌漂白用器具１００は立たせた状態、又は、寝かせた状態で使用が可能なため、本体１の底面及び背面に脚部１２を配置することにより、より安全かつ容易に作業を行うことができる。脚部１２の形状は、括弧型、十字型、円形、矩形等が採用でき、素材は、本体１と同様としてもよいし、異なる素材としてもよい。
【００１７】
図３は、除菌漂白用器具１００の本体１の内部構成図であり、（ａ）は側面一部拡大図であり、（ｂ）は背面図である。図３に示すように、本体１の背面内部には、支持部１３が形成される。支持部１３は、まな板等が本体１内部に密着することを防止するために形成され、これによりまな板等の全体を、確実に除菌漂白することができる。すなわち、除菌漂白作業を行う際、まな板等と本体１の内部が密着している箇所には、除菌漂白溶液が行き届かず、除菌漂白が不完全な状態となる。当該支持部１３により、まな板等と本体１の内部の密着を防ぐことが可能となり、除菌漂白作業を確実に行うことができる。支持部１３の形状は、複数の線状、点状、波状等が採用でき、素材は、本体１と同様としてもよいし、異なる素材としてもよい。また、支持部１３を、本体１の背面内部だけでなく、側面、正面又は平面の内部に配置してもよい（図示省略）。
【００１８】
図４は、除菌漂白用器具１００に係る水量計１４の構成図である。図４に示すように、本体１の正面には水量計１４が配置される。水量計１４は、目盛部分１４ａとマーカー部分１４ｂにより構成される。除菌漂白用器具１００は、立たせた状態、又は、寝かせた状態での使用が可能であるが、どちらの場合においても注水作業は立たせた状態で行うため、寝かせた状態での適当水量を判断することが難しい。そのため、一度寝かせた状態の適当水量を注水後、除菌漂白用器具１００を立たせた状態とし、水量計１４のマーカー部分１４ｂを、目盛部分１４ａの水位線に固定することで、次回からの注水時に、寝かせた状態の適当水量を容易に判断することができる。マーカー部分１４ｂは、使用用途により単数から複数個を選択できる。例えば、まな板１枚の水量を赤色のマーカーとし、まな板２枚の水量を青色のマーカーとすることで、注水時、すぐに適当水量を判断することができる。なお、当該水量計１４と同様の効果を示せるものであれば、本構成に限らず採用できる。
【００１９】
図５は、除菌漂白用器具１００の蓋２の構成図であり、（ａ）はその正面図、（ｂ）はその側面図、（ｃ）はその斜視図である。蓋２は板状で、本体１の開口部Ａを覆うように配置される。詳細には、蓋２の側面端部には、本体１の軸受け１ａに対応する軸２ａが設けられ、これにより蓋２は本体１に回動自在に取り付けられる。蓋２の素材は、本体１と同様としてもよいし、異なる素材としてもよい。また、蓋２の内側であって、本体１と接する部分には、シール部材２１が設けられる。これにより、まな板等と除菌漂白溶液を入れた状態での漏水を防ぎ、密閉状態とすることで、安全かつ確実に除菌漂白作業を行うことができる。
【００２０】
図６は、除菌漂白用器具１００に係る固定具３の構成図であり、（ａ）はその正面図であり、（ｂ）は、ｂ−ｂ’断面図かつ固定具３の使用図である。図６に示すように、固定具３は、クリップ形状であり、まな板Ｐや布巾等を複数枚同時に除菌漂白する際に、それぞれを固定するものである。固定具３は、突起部３ａを備えることにより、固定したまな板同士が密着することを防ぐことができる。固定具３の素材は、合成樹脂、金属等を採用できる。
【００２１】
図７は、除菌漂白用器具１００に係る浮上防止具４の構成図であり、（ａ）はその斜視図であり、（ｂ）は、ｂ−ｂ’断面図かつ浮上防止具４の使用図である。浮上防止具４は、シート状の本体を持手部分４ａで固定したものであり、全体としては筒状となる。図７（ｂ）に示すように、浮上防止具４を、まな板等と共に除菌漂白用器具１００の内部に配置することにより、まな板等の浮上を防ぎ、まな板等を除菌漂白溶液中に留めることにより、確実に除菌漂白をすることができる。また、浮上防止具４の外側には、密着防止部４ｂが形成される。密着防止部４ｂは、まな板等と浮上防止具４が密着することを防止するために形成され、これによりまな板等の全体を、確実に除菌漂白することができる。密着防止部４ｂの形状は、複数の線状、点状、波状等が採用できる。浮上防止具４の素材は、合成樹脂、金属等を採用でき、特にシリコンゴムを採用した場合には、十分な弾力性を有し、且つ、後述する浮上防止補助具５を使用する際においても、十分な摩擦力を有することで滑らずに使用することができるためよい。
【００２２】
図８は、除菌漂白用器具１００に係る浮上防止補助具５の構成図であり、（ａ）はその平面図、（ｂ）はその正面図、（ｃ）はａ−ａ’断面図かつ浮上防止補助具５の使用図である。浮上防止補助具５は、全体として長方形網目状であり、中央に浮上防止具４に対応する嵌合部５ａを備える。浮上防止補助具５は、主に除菌漂白用器具１００を立たせた状態での使用時に用いるものであって、タッパーウェアや哺乳瓶Ｄ等の浮上を防ぐことにより、確実に除菌漂白をすることができる。詳細には、浮上防止補助具５の嵌合部５ａに浮上防止具４を嵌合し、除菌漂白用器具１００の内部へ哺乳瓶等と除菌漂白溶液を入れた後、所謂落し蓋をするように浮上防止具４及び浮上防止補助具５を配置する。当該構成とすることで、哺乳瓶等が除菌漂白溶液中から露出することなく、確実に除菌漂白をすることができる。浮上防止補助具５の素材は、合成樹脂、木材、金属等を採用できる。
【００２３】
図９は、除菌漂白用器具１００に係る引上具６の構成図であり、（ａ）はその平面図、（ｂ）はその正面図、（ｃ）はその側面図、（ｄ）はａ−ａ’断面図かつ引上具６の使用図である。引上具６は、長方形網目状であり、片側長辺に固定部６ａが立設された構成である。そして、固定部６ａの先端は、本体１の開口部Ａの底辺に嵌合する構成である。引上具６は、主に除菌漂白用器具１００を立たせた状態での使用時に用いるものであって、使用に際し、引上具６をはじめに除菌漂白用器具１００の内部に配置し、その後引上具６を引上げることにより、除菌漂白溶液に直接触れることなく、除菌漂白の済んだ哺乳瓶Ｄ等を取り出すことができる。引上具６の素材は、合成樹脂、木材、金属等を採用できる。
【００２４】
図１０は、本発明の使用方法を示す図である。以下に、本発明に係る除菌漂白用器具１００の使用方法を説明する。まず、ユーザーは、まな板Ｐ等の対象物と、必要に応じて固定具や浮上防止具等と、を立たせた状態の本体内部へ入れ注水を開始する（図１０（ａ）（ｂ））。対応する水量計のマーカー部分まで注水が完了したら、適宜除菌漂白剤を投入する。次に、ユーザーは蓋を閉め、除菌漂白用器具を背面側へ倒し寝かせた状態とする（図１０（ｃ））。このとき、浮上防止具の効果によりまな板Ｐ等は確実に除菌漂白溶液中に留まる（図１０（ｄ））。そして、所定時間経過後に、ユーザーは、再び除菌漂白用器具を立たせ、排水機構により除菌漂白溶液の排水を行い、対象物を取り出す。
【００２５】
また、ユーザーは、哺乳瓶やタッパーウェア等の対象物と、必要に応じて浮上防止具や引上具等と、を立たせた状態の本体内部へ入れ注水を開始する。対応する水量計のマーカー部分まで注水が完了したら、適宜除菌漂白剤を投入する。そして、ユーザーは蓋を閉め、所定時間が経過したら、排水機構により除菌漂白溶液の排水を行い、対象物を取り出す。なお、続けてすすぎ作業を行う場合には、対象物を取り出さずに排水と注水の作業を繰り返し行う。
【００２６】
本発明に係る除菌漂白用器具１００によれば、まな板、弁当箱、タッパーウェア、哺乳瓶等の単数又は複数の対象物に対応し、必要最小限の除菌漂白溶液により除菌漂白作業を行うことができる。すなわち、除菌漂白用器具１００は、側面及び平面の二つの面に開口部を備える構成であるため、ユーザーは、除菌漂白を行う対象物の大きさ・量等に応じて、除菌漂白用器具１００を立たせた状態もしくは寝かせた状態のどちらで使用するのかを、適宜選択することが可能となる。これにより、常に除菌漂白溶液の量を最小限に抑えられる効果が得られる。出願人の検証によれば、除菌漂白用器具１００と、立たせた状態でのみ使用が可能な従来のまな板用除菌漂白箱とでは、まな板１枚を除菌漂白作業するために要する除菌漂白溶液の量が、除菌漂白用器具１００を用いた場合には、従来のまな板用除菌漂白箱を用いた場合に比べ７分の１の量となった。このことは、ランニングコストの削減のみに留まらず、節水及び除菌漂白剤の削減により環境への貢献にもつながるものである。
【００２７】
また、除菌漂白用器具１００は、固定具３、浮上防止具４、浮上防止補助具５、引上具６を備えることにより、安全かつ確実に前記対象物の除菌漂白作業を行うことを可能とする。
【符号の説明】
【００２８】
１      本体
２      蓋
３      固定具
４      浮上防止具
５      浮上防止補助具
６      引上具
１００  除菌漂白用器具
【図１】
2019208578.tif 000003
【図２】
2019208578.tif 000004
【図３】
2019208578.tif 000005
【図４】
2019208578.tif 000006
【図５】
2019208578.tif 000007
【図６】
2019208578.tif 000008
【図７】
2019208578.tif 000009
【図８】
2019208578.tif 000010
【図９】
2019208578.tif 000011
【図１０】
2019208578.tif 000012